(57)【特許請求の範囲】
【請求項１】
掴持棒(１)の下端に係合部材(４)を介して回転自在に装着されている腕(２)の両側であって該係合部材(４)との係合位置から等距離の位置に、３歯以上が連結された連続冠又は橋義歯のワックス型(Ｗ)の歯間連結部の下部に設けられている空間部(Ｘ)に挿入されてその歯間連結部を支持するフック(３)がそれぞれ懸吊されていることを特徴とする３歯以上が連結された連続冠又は橋義歯のワックス型抜き取り具。
【請求項２】
係合部材(４)との係合位置から腕(２)のフック(３)の懸吊位置までの距離を変更できるように、腕(２)にフック(３)の懸吊位置設定用の複数の懸吊孔(２ａ)が設けられている請求項１に記載の３歯以上が連結された連続冠又は橋義歯のワックス型抜き取り具。
【請求項３】
腕(２)がその中央に枢着されている枢着軸(２ｂ)を中心にして折曲自在であると共に該枢着軸(２ｂ)に螺合されているナット(２ｃ)で所望の折曲状態で固定可能であり、掴持棒(１)の下端に係合部材(４)を介して回転自在に装着されている２本のアーム(２′)の下端が前記折曲自在な腕(２)の中央位置に枢着されて該腕(２)と該アーム(２′)とでパンタグラフ機構が構成されている請求項１に記載の３歯以上が連結された連続冠又は橋義歯のワックス型抜き取り具。
【請求項４】
腕(２)又は２本のアーム(２′)を掴持棒(１)の下端に回転自在に装着している係合部材(４)が軸であり、該軸(４)に該掴持棒(１)と該腕(２)又は２本のアーム(２′)とを固定するナット(５)が螺合されている請求項１から３までのいずれか１項に記載の３歯以上が連結された連続冠又は橋義歯のワックス型抜き取り具。
【請求項５】
掴持棒(１)に、腕(２)に係合自在で該腕(２)と該掴持棒(１)との位置関係を固定するレバー(６)が装着されている請求項１から３までのいずれか１項に記載の３歯以上が連結された連続冠又は橋義歯のワックス型抜き取り具。
【請求項６】
掴持棒(１)が上部(１ａ)と下部(１ｂ)とに分割されており、該下部(１ｂ)の上部突出部(１ｂａ)が該上部(１ａ)にその軸方向に摺動自在に装着されていると共に該下部(１ｂ)の上部突出部(１ｂａ)の基端に設けられているフランジ部(１ｂｂ)より下方の部分に摺動自在に装着されていてその上面が該フランジ部(１ｂｂ)の下面に当接する移動体(１ｃ)が伸縮自在な弾性体(１ｄ)により該上部(１ａ)側に常時引き付けられている請求項１から５までのいずれか１項に記載の３歯以上が連結された連続冠又は橋義歯のワックス型抜き取り具。
【請求項７】
掴持棒(１)の下端に係合部材(４)を介して回転自在に装着されている上腕(２Ａ)の両側に、該係合部材(４)との係合位置から等距離の位置にそれぞれ回転自在に懸吊されている懸吊棒(８)の下端に回転自在に腕(２)が装着されているか、又は該係合部材(４)との係合位置から等距離の位置にそれぞれ回転自在に懸吊されている懸吊棒(８)の下端に回転自在に中腕(２Ｂ)が装着されていて該中腕(２Ｂ)との係合位置から等距離の位置にそれぞれ回転自在に懸吊されている懸吊棒(８)の下端に腕(２)が回転自在に装着されており、該腕(２)の両側であって該腕(２)の中央位置から等距離の位置に、それぞれ３歯以上が連結された連続冠又は橋義歯のワックス型(Ｗ)の歯間連結部の下部に設けられている空間部(Ｘ)に挿入されてその歯間連結部を支持するフック(３)が懸吊されていることを特徴とする３歯以上が連結された連続冠又は橋義歯のワックス型抜き取り具。
【発明の詳細な説明】
【０００１】
【発明の属する技術分野】
本発明は、３歯以上が連結された連続冠又は橋義歯を一塊鋳造法により製造するためにワックスで作成した３歯以上が連結された状態のワックス型を、分割復位式模型（歯型可撤式模型）の二次石膏模型からダウエルピン付き支台歯模型と共にか、又は石膏で作成した支台歯上若しくは分割復位式模型上から、変形無く正確に抜き取るためのワックス型抜き取り具に関するものである。
【０００２】
【従来の技術】
一般に３歯以上が連結された連続冠又は橋義歯の製造法としては、大別して次の二通りの方法が実施されている。
一つは歯科用合金によって１歯又は２歯程度の連結された状態に鋳造されたものを鑞着用焼成台上で鑞着して製作する鑞接連結法であり、他の一つは歯科用合金によって３歯以上が連結された状態に一挙に鋳造して製造する一塊鋳造法である。
【０００３】
前者の方法は、別々に鋳造された鋳造体を鑞接する作業のための時間が必要になるが、術式が確立されているので正確で確実性が高いが、鋳造体同士を鋳造体である歯科用合金とは異なる素材である鑞材で連結する方法であるので耐食性において問題があると共に鑞接部分を残すように鋳造体を鋳造しなければならないのでワックス型形成の時点で形態，厚みなどの調整に制限を受ける欠点がある。
これに対し後者の方法は、鑞接作業の時間が節約でき、歯間連結部も含めて全体が同じ歯科用合金で製作されるから強度も強く耐食性も良いが、多数の歯が連結された状態に歯科用合金で一塊鋳造するためには溶融された歯科用合金が所望の部位まで確実に注入される鋳型を製造しなければならないために高度の技術を必要とするばかりでなく、鋳型や歯科用合金の熱収縮も考慮しなければならないために精度の高い適合を求めることが困難であるとされていた。
【０００４】
しかるに、近年の歯科用材料、特に歯科用埋没材の寸法補償に関する品質向上や、鋳造装置の進歩に伴ってその信頼性が高まってきたことに起因して、一塊鋳造法が注目されてきつつある。
しかしながら、３歯以上が連結された連続冠又は橋義歯を一塊鋳造法で製造するには、患者から採得した印象に基づいて作成した、分割復位式模型の二次石膏模型上にダウエルピンを介して着脱自在に装着したダウエルピン付き支台歯模型上か又は石膏で作成した支台歯上に、製造しようとする３歯以上が連結された連続冠又は橋義歯と同形状のワックス型を作成し、このワックス型にワックスでスプルー線を植立し湯道を形成した後に、分割復位式模型の二次石膏模型からダウエルピン付き支台歯模型と共にか又は石膏で作成した支台歯上若しくは分割復位式模型上からこの湯道付きのワックス型（以下、単にこの「湯道付きのワックス型」を「ワックス型」と言う）を抜き取り、ダウエルピン付き支台歯模型と共に抜き取った場合には更にダウエルピン付き支台歯模型上から抜き取り、歯科用埋没材中に埋没させた後にその歯科用埋没材が硬化したらそのワックス型を焼却して鋳型を作成して鋳造を行うのであるが、３歯以上が連結された連続冠又は橋義歯と同形状のワックス型を変形させること無く正確に分割復位式模型の二次石膏模型からダウエルピン付き支台歯模型と共にか又は石膏で作成した支台歯上若しくは分割復位式模型上から抜き取ることができるか否かが鋳造された製品の良否を決定する大きな要因となるのである。
【０００５】
すなわち、分割復位式模型の二次石膏模型からダウエルピン付き支台歯模型と共にか又は石膏で作成した支台歯上若しくは分割復位式模型上から抜き取られるワックス型には、前述した如くスプルー線等で湯道が設けられているのであるが、このスプルー線の植立位置は溶融した歯科用合金が流入し易く且つ流入した溶融歯科用合金の逆流や乱流を防止できる位置でなければならないのでワックス型の厚肉部分でなければならずしかもこのスプルー線は非機能咬頭に斜めに植立されることが多いため、ワックス型を分割復位式模型の二次石膏模型からダウエルピン付き支台歯模型と共にか又は石膏で作成した支台歯上若しくは分割復位式模型上から抜き取るには湯道を構成する部分を斜めに掴持しながら抜き取らなければならない場合が多いことから、どうしてもワックス型を分割復位式模型の二次石膏模型からダウエルピン付き支台歯模型と共にか又は石膏で作成した支台歯上若しくは分割復位式模型上から完全に抜き取るまでにワックス型に微妙な変形が生じて製造された鋳造体が当初の設計と変わってしまうという現象が発生してしまうのである。
【０００６】
尚、ワックス型を分割復位式模型の二次石膏模型からダウエルピン付き支台歯模型と共に抜き取ることができれば、ワックス型は通常ワックス型の形成過程においてダウエルピン付き支台歯模型上から抜き取ることのできることが確認されているので、ワックス型に微妙な変形が生じて製造された鋳造体が当初の設計と変わってしまうという現象が発生する危険性は非常に少ないのである。
【０００７】
【発明が解決しようとする課題】
本発明は、前述した如き従来技術における一塊鋳造法を難しくしている問題である、３歯以上が連結された連続冠又は橋義歯を一塊鋳造法により製造するために作成したワックス型を、分割復位式模型の二次石膏模型からダウエルピン付き支台歯模型と共にか、又は石膏で作成した支台歯上若しくは分割復位式模型上から、変形無く正確に抜き取ることを可能とした３歯以上が連結された連続冠又は橋義歯のワックス型抜き取り具を提供することを課題とする。
【０００８】
【課題を解決するための手段】
本発明者はかかる課題を解決すべく鋭意研究の結果、掴持棒の下端に係合部材を介して回転自在に装着されている腕の両側であって該係合部材との係合位置から等距離の位置に、３歯以上が連結された連続冠又は橋義歯のワックス型の歯間連結部の下部に設けられている空間部に挿入されてその歯間連結部を支持するフックを懸吊した天秤式の構造にすれば、石膏で作成した各支台歯上若しくは分割復位式模型上からか、又は分割復位式模型の二次石膏模型にダウエルピンを介して装着されたダウエルピン付き支台歯模型と共に、ワックス型に近遠心的に無理な力を掛けずに同時にバランス良く力を配分することができるばかりでなく、歯間連結部をフックで支持することによって頬舌的にも中心に力を掛けて抜き取ることができることを究明して本発明を完成したのである。
【０００９】
そして、係合部材との係合位置から腕のフックの懸吊位置までの距離を変更できるように腕にフックの懸吊位置設定用の複数の懸吊孔が設けられていたり、腕がその中央に枢着されている枢着軸を中心にして折曲自在であると共に該枢着軸に螺合されているナットで所望の折曲状態で固定可能であって掴持棒の下端に係合部材を介して回転自在に装着されている２本のアームの下端が前記折曲自在な腕の中央位置に枢着されて該腕と該アームとでパンタグラフ機構が構成されていたりするように、係合部材との係合位置から腕のフックの懸吊位置までの距離を変更できるようになっていれば、３歯以上が連結された連続冠又は橋義歯のワックス型における歯間連結部の位置に合わせて係合部材との係合位置から腕のフックの懸吊位置までの距離を変更できるため、ワックス型に無理な力を掛けずに同時にバランス良く力を配分することができて抜き取り効果がより顕著になることも究明したのである。
【００１０】
更に、前記腕又は前記２本のアームを掴持棒の下端に回転自在に装着している係合部材が軸であって該軸に該掴持棒と該腕又は該２本のアームとを固定するナットが螺合されていたり、掴持棒に腕に係合自在で該腕と該掴持棒との位置関係を固定するレバーが装着されていたりすれば、ワックス型を石膏で作成した各支台歯上若しくは分割復位式模型上からか、又はワックス型付き支台歯模型を二次石膏模型にから一挙に抜き取ることができない場合に抜き取れない側のワックス型に無理な力を掛けずに抜き取ることができることも究明したのである。
【００１１】
また、掴持棒が上部と下部とに分割されており、該下部の上部突出部が該上部にその軸方向に摺動自在に装着されていると共に該下部の上部突出部の基端に設けられているフランジ部より下方の部分に摺動自在に装着されていてその上面が該フランジ部の下面に当接する移動体が伸縮自在な弾性体により該上部側に常時引き付けられている構成になっていると、フックを３歯以上が連結された連続冠又は橋義歯のワックス型の歯間連結部の下部に設けられている空間部に挿入してその歯間連結部を支持できる状態で掴持棒を該ワックス型から離れる方向に軽く移動させてもワックス型を二次石膏模型からダウエルピン付き支台歯模型と共にか又は石膏で作成した支台歯上若しくは分割復位式模型上から容易に抜き取ることができない場合に、前記移動体を前記上部から離れる方向に弾性体の力に抗して移動させておいてから移動体を弾性体の力によって上部側に急激に移動させて下部のフランジ部の上面を上部の下面に衝突させれば、その衝撃力で容易に抜き取ることができることも究明したのである。
【００１２】
更に、掴持棒の下端に係合部材を介して回転自在に装着されている上腕の両側に、該係合部材との係合位置から等距離の位置にそれぞれ回転自在に懸吊されている懸吊棒の下端に回転自在に腕が装着されているか、又は該係合部材との係合位置から等距離の位置にそれぞれ回転自在に懸吊されている懸吊棒の下端に回転自在に中腕が装着されていて該中腕との係合位置から等距離の位置にそれぞれ回転自在に懸吊されている懸吊棒の下端に腕が回転自在に装着されており、該腕の両側であって該腕の中央位置から等距離の位置に、それぞれ３歯以上が連結された連続冠又は橋義歯のワックス型の歯間連結部の下部に設けられている空間部に挿入されてその歯間連結部を支持するフックが懸吊されている構造になっていると、３歯以上が連結された連続冠又は橋義歯のワックス型が歯列の湾曲したワックス型であったり両側に臼歯部を有するような大型のワックス型の場合に有効に使用できることも究明したのである。
【００１３】
【発明の実施の形態】
以下、本発明に係る３歯以上が連結された連続冠又は橋義歯のワックス型抜き取り具の実施例について詳細に説明する。
図１は本発明に係る３歯以上が連結された連続冠又は橋義歯のワックス型抜き取り具の１実施例の斜視図、図２は本発明に係る３歯以上が連結された連続冠又は橋義歯のワックス型抜き取り具の１実施例を使用して３歯が連結された橋義歯を一塊鋳造法により製造するために作成したワックス型を分割復位式模型の二次石膏模型からダウエルピン付き支台歯模型と共に抜き取っている状態を示す説明図、図３〜５はそれぞれ本発明に係る３歯以上が連結された連続冠又は橋義歯のワックス型抜き取り具の他の実施例の斜視図、図６は本発明に係る３歯以上が連結された連続冠又は橋義歯のワックス型抜き取り具の更に他の実施例の部分断面説明図、図７及び図８はそれぞれフックを多数本備えた本発明に係る３歯以上が連結された連続冠又は橋義歯のワックス型抜き取り具の更に他の実施例の正面図である。
【００１４】
図面中、１は指で掴持して上方に引き上げるための掴持棒であり、その下端には図１，２，３，４及び６に示す如く腕２か、図５に示す如く２本のアーム２′か、又は図７及び８に示す如く上腕２Ａが軸やリング等より成る係合部材４を介して回転自在に装着されている。この掴持棒１は、図６に示す如く上部１ａと下部１ｂとに分割されており、下部１ｂの上部突出部１ｂａが上部１ａにその軸方向に摺動自在に装着されていると共に下部１ｂの上部突出部１ｂａの基端に設けられているフランジ部１ｂｂより下方の部分に摺動自在に装着されていてその上面が前記フランジ部１ｂｂの下面に当接する移動体１ｃが伸縮自在な弾性体１ｄにより上部１ａ側に常時引き付けられている態様であっても良い。
【００１５】
また、腕２にはその中央の装着位置（図１では掴持棒１に装着されている係合部材４であるリング、図２，３，４，５，６では掴持棒１に装着されている係合部材４である軸、図７，８では後述する懸吊棒８の下端に設けられたフック）から等距離の位置に、３歯以上が連結された連続冠又は橋義歯のワックス型Ｗの歯間連結部の下部に設けられている空間部Ｘに挿入されてその歯間連結部を支持するフック３がそれぞれ懸吊されている。この腕２としては、図１，２，３，４及び６に示す如く掴持棒１の下端に係合部材４を介して直接回転自在に装着されている態様と、図５に示す如くその中央に枢着されている枢着軸２ｂを中心にして折曲自在であると共にこの枢着軸２ｂに螺合されているナット２ｃで所望の折曲状態（係合部材４である軸からフック３の懸吊位置までの距離を変更した状態）で固定可能であり掴持棒１の下端に係合部材４である軸で枢着されている２本のアーム２′の下端が前記折曲自在な腕２の中央位置に枢着されていて折曲自在な腕２とアーム２′とでパンタグラフ機構を構成されている態様と、図７に示す如く掴持棒１の下端に係合部材４を介して回転自在に装着されている上腕２Ａの両側にその係合部材４との係合位置からから等距離の位置にそれぞれ回転自在に懸吊されている懸吊棒８の下端に回転自在に装着されている態様と、図８に示す如く掴持棒１の下端に係合部材４を介して回転自在に装着されている上腕２Ａの両側に係合部材４との係合位置から等距離の位置にそれぞれ回転自在に懸吊されている懸吊棒８の下端に回転自在に中腕２Ｂが装着されていてこの中腕２Ｂとの係合位置から等距離の位置にそれぞれ回転自在に懸吊されている懸吊棒８の下端に回転自在に装着されている態様とがある。
【００１６】
そしてこの腕２としては、掴持棒１の下端の枢着位置からフック３の懸吊位置までの距離を変更できるように、図５に示す如きパンタグラフ機構でその中央に枢着されている枢着軸２ｂで所望の折曲状態にナット２ｃで固定される態様や、図４に示す如く腕２にフック３の懸吊位置設定用の複数の懸吊孔２ａが設けられている態様を採用することができる。
【００１７】
また掴持棒１の軸線に対する腕２の傾斜角を固定できるように、図４や図５に示す如く腕２や２本のアーム２′を掴持棒１の下端に回転自在に装着している係合部材４である軸に掴持棒１と腕２又は２本のアーム２′とを固定する蝶ネジの如き簡単に締め付けを行うことができるナット５が螺合されている態様や、図３に示す如く腕２と掴持棒１との位置関係を固定するレバー６が腕２に係合自在に装着できるように設けられている態様があり、後者の態様において図示した実施例ではレバー６の一端にその長手方向に穿設されている長穴６ａに掴持棒１に突設されているオネジが挿通されていてこのオネジにレバー６を掴持棒１に位置固定する蝶ネジの如き簡単に締め付けを行うことができるナット７が螺合されており且つレバー６の他端に腕２に設けられた突起に係合する溝６ｂが設けられている。
【００１８】
上述した如き構造の本発明に係る３歯以上が連結された連続冠又は橋義歯のワックス型抜き取り具を使用して３歯以上が連結された連続冠又は橋義歯のワックス型Ｗを分割復位式模型の二次石膏模型ＺからダウエルピンＤ付き支台歯模型Ｙと共にか又は石膏で作成した支台歯上若しくは分割復位式模型上から抜き取るには、フック３の下端のフック部をワックス型Ｗの歯間連結部の下部に設けられている空間部Ｘに挿入し、そのフック部でワックス型Ｗの歯間連結部を支持させた状態で掴持棒１を掴持して上方に垂直に移動させるのである。
即ち、３歯以上が連結された連続冠又は橋義歯のワックス型Ｗを分割復位式模型の二次石膏模型ＺからダウエルピンＤ付き支台歯模型Ｙと共にか又は分割復位式模型上から抜き取るには、図２に示す如くダウエルピンＤの軸方向と平行な方向に掴持棒１を上方に移動させるのであり、３歯以上が連結された連続冠又は橋義歯のワックス型Ｗを石膏で作成した支台歯上から抜き取るには、支台歯の軸方向と平行な方向に掴持棒１を上方に移動させるのである。
【００１９】
このような操作を行う際に、フック３同士の間隔はワックス型Ｗの歯間連結部の間隔と一致していて垂直な状態であることが好ましいので、図４に示す如く腕２にフック３の懸吊位置設定用の複数の懸吊孔２ａが設けられている態様の場合にはできるだけフック３同士の間隔をワックス型Ｗの歯間連結部の間隔に合致するようにフック３を適切な懸吊位置設定用の懸吊孔２ａの位置に掛け変えて懸吊させるのであり、また図５に示す如くパンタグラフ機構を構成されている態様の場合にはフック３同士の間隔をワックス型Ｗの歯間連結部の間隔に合致するようにパンタグラフの開きを調整して調整が完了すると腕２をその中央で折曲自在に枢着している枢着軸２ｂに螺合されているナット２ｃを締め付けるのである。
【００２０】
かくして掴持棒１を垂直に引き上げると、天秤式の構造であるので腕２の両側のフック３には共に掴持棒１の引き上げ方向と平行な方向に力が作用されるから、ワックス型Ｗのフック３で支持された歯間連結部には抜き取り方向だけの力が作用されることになるので、ワックス型Ｗに近遠心的に無理な力を掛けずに同時にバランス良く力を配分することができるばかりでなく、頬舌的にも中心に力を掛けて抜き取ることができるのである。
【００２１】
また掴持棒１を引き上げる際に、石膏で作成した各支台歯上若しくは分割復位式模型上からか、又は分割復位式模型の二次石膏模型ＺからダウエルピンＤ付き支台歯模型Ｙと共にワックス型Ｗを容易に抜き取れない場合に、掴持棒１が図６に示す如き態様であると、移動体１ｃを伸縮自在な弾性体１ｄの力に抗して下方（ワックス型Ｗ方向）に移動させてから移動体１ｃを手から離すと、移動体１ｃは弾性体１ｄの引き付け力によって上部１ａ側に移動してその上面が下部１ｂのフランジ部１ｂｂの下面に接触して下部１ｂと共に下部１ｂのフランジ部１ｂｂの上面が上部１ａの下面に衝突するまで急激に移動することになるので、フック３の移動方向を正しく規定した状態でワックス型Ｗの抜き取り操作を行うことができるのである。
【００２２】
更に、掴持棒１を引き上げる際に、片側のフック３だけが石膏で作成した各支台歯上若しくは分割復位式模型上からか、又は分割復位式模型の二次石膏模型ＺからダウエルピンＤ付き支台歯模型Ｙと共にワックス型Ｗを抜き取るように作動する場合には、掴持棒１が図３，４，５に示す如き態様であると、その抜き取り操作のままの腕２が傾いた状態を維持し続けるように腕２と掴持棒１との関係を固定してその状態で掴持棒１を垂直に引き上げれば、抜き取ることができなかった側のワックス型Ｗに正しい抜き取り方向に力が作用し各支台歯上若しくは分割復位式模型上からか、又は分割復位式模型の二次石膏模型ＺからダウエルピンＤ付き支台歯模型Ｙと共にワックス型Ｗを抜き取ることができるのである。
【００２３】
そして、ワックス型Ｗが歯列の湾曲したワックス型であったり両側に臼歯部を有するような大型のワックス型の場合には、図７，８に示す如くフック３が多数本存在する態様のワックス型抜き取り具を使用して所望の２本，４本又は８本のフック３をワックス型Ｗの歯間連結部の下部に設けられている空間部Ｘに挿入して各歯間連結部を支持させることにより容易に抜き取ることができるのである。
【００２４】
【発明の効果】
以上に詳述したように、本発明に係る３歯以上が連結された連続冠又は橋義歯のワックス型抜き取り具は、掴持棒により引き上げられる腕の両側に３歯以上が連結された連続冠又は橋義歯のワックス型の歯間連結部の下部に設けられている空間部に挿入されてその歯間連結部を支持するフックがそれぞれ懸吊されている天秤式の構造をなしているので、３歯以上が連結された連続冠又は橋義歯のワックス型を、支台歯上若しくは分割復位式模型上からか、又は分割復位式模型の二次石膏模型からダウエルピン付き支台歯模型と共に、変形無く正確に抜き取ることができるので、３歯以上が連結された連続冠又は橋義歯を一塊鋳造法で製造する際の致命的な欠陥であったワックス型抜き取り時におけるワックス型変形を防止することができるのである。
【００２５】
そして、図４，５に示す実施例の如くワックス型の歯間連結部の下部に設けられている空間部に挿入されてその歯間連結部を支持するフックの間隔を支持すべき歯間連結部の間隔に合わせることができる態様や、図３，４，５に示す実施例の如く掴持棒と腕との位置関係を固定できる態様や、図６に示す実施例の如く掴持棒の軸方向に瞬間的に力を作用させることができる態様や、図７，８に示す如き歯列の湾曲したワックス型や両側に臼歯部を有するような大型のワックス型にも対応できるような態様など種々の構成を付加することによってより有効に３歯以上が連結された連続冠又は橋義歯のワックス型を、分割復位式模型の二次石膏模型からダウエルピン付き支台歯模型と共にか、又は石膏で作成した支台歯上若しくは分割復位式模型上から、変形無く正確に抜き取ることができるのである。
【００２６】
このような種々の効果を有する本発明に係る３歯以上が連結された連続冠又は橋義歯のワックス型抜き取り具は、安価に且つ容易に製造できるものであり、その歯科分野に貢献する価値の非常に大きなものである。
【図面の簡単な説明】
【図１】本発明に係る３歯以上が連結された連続冠又は橋義歯のワックス型抜き取り具の１実施例の斜視図である。
【図２】本発明に係る３歯以上が連結された連続冠又は橋義歯のワックス型抜き取り具の１実施例を使用して３歯が連結された橋義歯を一塊鋳造法により製造するために作成したワックス型を分割復位式模型の二次石膏模型からダウエルピン付き支台歯模型と共に抜き取っている状態を示す説明図である。
【図３】本発明に係る３歯以上が連結された連続冠又は橋義歯のワックス型抜き取り具の他の実施例の斜視図である。
【図４】本発明に係る３歯以上が連結された連続冠又は橋義歯のワックス型抜き取り具の他の実施例の斜視図である。
【図５】本発明に係る３歯以上が連結された連続冠又は橋義歯のワックス型抜き取り具の他の実施例の斜視図である。
【図６】本発明に係る３歯以上が連結された連続冠又は橋義歯のワックス型抜き取り具の他の実施例の部分断面説明図である。
【図７】フックを多数本備えた本発明に係る３歯以上が連結された連続冠又は橋義歯のワックス型抜き取り具の他の実施例の正面図である。
【図８】フックを多数本備えた本発明に係る３歯以上が連結された連続冠又は橋義歯のワックス型抜き取り具の更に他の実施例の正面図である。
【符号の説明】
１  掴持棒
１ａ  上部
１ｂ  下部
１ｂａ  上部突出部
１ｂｂ  フランジ部
１ｃ  移動体
１ｄ  弾性体
２  腕
２ａ  懸吊孔
２ｂ  枢着軸
２ｃ  ナット
２′  アーム
２Ａ  上腕
２Ｂ  中腕
３  フック
４  係合部材
５  ナット
６  レバー
６ａ  長穴
６ｂ  溝
７  ナット
８  懸吊棒
Ｄ  ダウエルピン
Ｗ  ３歯以上が連結された連続冠又は橋義歯のワックス型
Ｘ  ワックス型の歯間連結部の下部に設けられている空間部
Ｙ  支台歯模型
Ｚ  分割復位式模型の二次石膏模型
【図１】
0003784467.tif 000002
【図２】
0003784467.tif 000003
【図３】
0003784467.tif 000004
【図４】
0003784467.tif 000005
【図５】
0003784467.tif 000006
【図６】
0003784467.tif 000007
【図７】
0003784467.tif 000008
【図８】
0003784467.tif 000009